(57)【要約】      （修正有）【課題】大きさの異なる２種類のナットまたはボルト頭部を回転させることができる上に、構成が簡単で、かつ製造が容易である回転工具用ソケットを提供する。【解決手段】第１のナットまたはボルト頭部を嵌めることができる穴である収容部４が、本体部２の一端から他端に向かって形成され、第１のナットとは異なる径の第２のナットまたはボルト頭部を嵌めることができる穴である収容部２８が、本体部２の他端から一端に向かって形成されている。ソケット用アダプタの基部が取り付け可能な穴である固定部１４が、収容部４に続いて本体部２の他端に向かって形成されている。基部が取り付け可能な穴である第２の固定部３８が、収容部２８に続いて本体部２の一端に向かって形成されている。第１及び第２のナットがそれぞれ螺合したボルトの螺軸が挿通可能である連通孔４２が固定部２８、３８間を直線状に繋いでいる。【選択図】図１
0003202192.tif 000002
【実用新案登録請求の範囲】
【請求項１】
柱状の本体部の一端から前記本体部の他端に向かって形成された穴であって、第１のナットまたはボルト頭部を嵌めることが可能な第１の収容部と、
前記本体部の他端から前記本体部の一端側に向かって形成された穴であって、第１のナットとは異なる径の第２のナットまたはボルト頭部を嵌めることが可能な第２の収容部と、
前記第１の収容部に続いて前記本体部の他端に向かって形成された穴であって、回転工具取付用の第１の固定部と、
前記第２の収容部に続いて前記本体部の一端側に向かって形成された穴であって、前記第１の固定部と同一形状の第２の固定部と、
前記第１及び第２の固定部間を直線状に繋ぎ、第１及び第２のナットがそれぞれ螺合したボルトの螺軸が挿通可能な連通孔とを、
有する回転工具用ソケット。
【請求項２】
請求項１記載の回転工具用ソケットにおいて、前記第１及び第２の固定部は、ソケット用アダプタの基部が取り付け可能に構成され、前記ソケット用アダプタは、前記基部に機械的に結合された回転工具連結部を有し、前記基部が第１の固定部に取り付けられた状態で前記回転工具連結部が第１の収容部を介して前記本体部の外部に突出し、前記基部が第２の固定部に取り付けられた状態で前記回転工具連結部が第２の収容部を介して前記本体部の外部に突出する回転工具用ソケット。
【請求項３】
請求項１記載の回転工具用ソケットにおいて、前記第１の固定部は、前記第１の収容部を介して外部から挿入された回転工具の先端部が取り付け可能に構成され、前記第２の固定部は、前記第２の収容部を介して外部から挿入された回転工具の先端部が取り付け可能に構成されている回転工具用ソケット。
【請求項４】
請求項１乃至３いずれか記載の回転工具用ソケットにおいて、
前記第１の収容部は、前記第１のナットまたはボルト頭部に対応したほぼ多角形状の穴で、第２の収容部側に底を有し、
前記第２の収容部は、前記第２のナットまたはボルト頭部に対応したほぼ多角形状の穴で、第１の収容部側に底を有し、
前記第１の固定部は、前記第１の収容部の底に開口し、かつ第２の収容部側に底を有し、
前記第２の固定部は、前記第２の収容部の底に開口し、かつ第１の収容部側に底を有し、
前記連通孔は、前記第１及び第２の固定部の底に両端間が開口している
回転工具用ソケット。
【考案の詳細な説明】
【技術分野】
【０００１】
本考案は、例えば電動ドリルのような回転工具に取り付けて、ナットやボルト頭部を回転させるソケットに関し、特に異なる径のナットやボルト頭部に対して１台で対応可能なものに関する。
【背景技術】
【０００２】
異なる径のナットやボルト頭部に対して１台で対応できるソケットとしては、例えば特許文献１に開示されているようなものがある。特許文献１の技術では、柱状の本体の一端にソケットが設けられ、他端にドライバービット挿入口が設けられている。ソケットは、径が異なる２種類のインナーソケットとアウターソケットとを有するダブルソケットに構成されている。インナーソケットは、本体の一端に形成された穴である。この穴は、その穴の内周面に所定の大きさの第１ナットまたはボルト頭部の外周面が接触可能に形成されている。
【０００３】
このインナーソケットの形成部分の外周面に、この外周面に沿って摺動可能にソケット外筒が取り付けられている。このソケット外筒は、一端がインナーソケットの形成部分よりも外方に突出した状態と、一端がインナーソケット形成部分にまで後退した状態とを、採ることができる。このソケット外筒の一端は本体よりも大きく形成され、その内周面は、第１ナットまたはボルト頭部よりも大きい第２ナットまたはボルト頭部が接触可能に形成されている。このソケット外筒の一端がアウターソケットである。ソケット外筒は、その他端部の内周面にリングバネが取り付けられており、アウターソケットがインナーソケットの形成部分よりも外方に突出した状態で、リングバネが係合する第１の溝が本体に形成され、アウターソケットがインナーソケットの形成部分にまで後退した状態で、リングバネが係合する第２の溝がソケット本体に形成されている。
【０００４】
従って、インナーソケットでナットまたはボルト頭部を回転させる場合には、アウターソケットをインナーソケットの形成部分にまで後退させて、リングバネを第２の溝に係合させる。アウターソケットでナットまたはボルト頭部を回転させる場合には、アウターソケットをインナーソケットの形成部分よりも外方に突出させて、リングバネを第１の溝に係合させる。いずれの場合でも、ドライバービットの一端をソケット本体の他端のドライバービット挿入口に挿入し、ドライバービット挿入口から突出しているドライバービットの他端を電動工具に取り付ける。
【先行技術文献】
【特許文献】
【０００５】
【特許文献１】特開２００９−２６２２４２号公報
【考案の概要】
【考案が解決しようとする課題】
【０００６】
特許文献１によれば、大きさの異なるナットまたはボルト頭部を、１つのソケットによって回転させることが可能である。しかし、ソケット本体とは別に、アウターソケットが必要で、その上、ソケット本体に第１及び第２の溝を形成し、アウターソケットにリングバネを取り付けねばならず、その構成が複雑で、かつその製造が面倒であった。
【０００７】
本考案は、大きさの異なる２種類のナットまたはボルト頭部を回転させることができる上に、構成が簡単で、かつ製造が容易である回転工具用ソケットを提供することを目的とする。
【課題を解決するための手段】
【０００８】
本考案の一態様の回転工具用ソケットは、柱状の本体部を有している。この本体部の一端から前記本体部の他端側に向かって形成された穴が、第１の収容部である。第１の収容部には、第１のナットまたはボルト頭部を嵌めることが可能である。前記本体部の他端から前記本体部の一端側に向かって形成された穴が、第２の収容部である。第２の収容部には、第１のナットとは異なる径の第２のナットまたはボルト頭部を嵌めることができる。  前記第１の収容部に続いて前記本体部の他端側に向かって形成された穴が第１の固定部である。前記第２の収容部に続いて前記本体部の一端側に向かって形成された穴が第２の固定部である。第２の固定部は、第１の固定部と同一形状である。前記第１及び第２の固定部間を直線状に連通孔が繋ぎ、第１及び第２のナットがそれぞれ螺合したボルトの螺軸が連通孔に挿通可能である。
【０００９】
前記第１及び第２の固定部には、ソケット用アダプタの基部が取り付け可能である。ソケット用アダプタは回転工具連結部を有し、回転工具連結部は、基部に機械的に結合されている。ソケット用アダプタの基部が第１の固定部に取り付けられた状態では、第１の収容部を介して本体部の外部に突出する。ソケット用アダプタの基部が第２の固定部に取り付けられた状態では、第２の収容部を介して本体部の外部に突出する。
【００１０】
或いは、第１の固定部には、第１の収容部を介して外部から挿入された回転工具の先端部が取り付け可能で、第２の固定部には、第２の収容部を介して外部から挿入された回転工具の先端部が取り付け可能である。
【００１１】
上記の各態様のいずれかにおいて、前記第１の収容部は、前記第１のナットまたはボルト頭部に対応したほぼ多角形状の穴で、第２の収容部側に底を有するものとできる。この場合、前記第２の収容部は、前記第１のナットまたはボルト頭部に対応したほぼ多角形状の穴で、第１の収容部側に底を有している。前記第１の固定部は、前記第１の収容部の底に開口し、かつ第２の収容部側に底を有している。前記第２の固定部は、前記第２の収容部の底に開口し、かつ第１の収容部側に底を有している。前記連通孔は、前記第１及び第２の固定部の底に両端間が開口している。
【００１２】
前記第２の固定部に前記ソケット用アダプタが取り付けられたとき、前記第１の収容部に前記第１のナットまたはボルト頭部が収容される。ソケット用アダプタを回転工具に取り付けて、回転工具を回転させることによって、ソケット本体が回転し、第１のナットまたはボルト頭部を回転させることができ、第１ナットをボルトに取り付け、取り外しすることができたり、第１ボルト頭部を持つボルトをナットに取り付け、取り外しすることができる。
【００１３】
前記第２の固定部に前記ソケット用アダプタが取り付けられたとき、前記第１の収容部に前記第１のナットを収容することができる。この場合、第１のナットが螺合しているボルトに前記第１のナットより突出している部分があると、この部分は、前記第１の固定部を介して前記連通孔内に進入している。ソケット用アダプタを回転工具に取り付けて、回転工具を回転させることによって、ソケット本体が回転し、第１のナットを回転させることができ、第１ナットをボルトから取り外しすることができる。このとき、第１のナットよりもボルトが突出していても、その突出部分は、連通孔内に進入しているので、ボルトが突出しているナットでも、取り外すことができる。或いは、第１のナットを第１の収容部に収容して、このナットをボルトの先端に接触させて、回転工具をナットがボルトに螺合するように回転させると、ナットをボルトの先端よりも内側の位置まで螺合させることができる。
【００１４】
前記第１の固定部に前記ソケット用アダプタが取り付けられたとき、前記第２の収容部に前記第２のナットまたはボルト頭部を収容することができる。この場合、ソケット用アダプタを回転工具に取り付けて、回転工具を回転させることによって、ソケット本体が回転し、第２のナットまたはボルト頭部を回転させることができ、第２ナットをボルトに取り付け、取り外しすることができたり、第２ボルト頭部を持つボルトをナットに取り付け、取り外しすることができる。
【００１５】
前記第１の固定部に前記ソケット用アダプタが取り付けられたとき、前記第２の収容部に前記第２のナットを収容している。この場合、第２のナットが螺合しているボルトに前記第２のナットより突出している部分があると、この部分は、前記第２の固定部を介して前記連通孔内に進入している。ソケット用アダプタを回転工具に取り付けて、回転工具を回転させることによって、ソケット本体が回転し、第２のナットを回転させることができ、第２ナットをボルトから取り外しすることができる。このとき、第２のナットよりもボルトが突出していても、その突出部分は、連通孔内に進入しているので、ボルトが突出しているナットでも、取り外すことができる。或いは、第２ナットを第２の収容部に収容して、このナットをボルトの先端に接触させて、回転工具を第２のナットがボルトに螺合するように回転させると、第２ナットをボルトの先端よりも内側の位置まで螺合させることができる。
【００１６】
前記第２の固定部に外部から回転工具の先端部が挿入されて取り付けられたとき、前記第１の収容部に前記第１のナットまたはボルト頭部が収容される。回転工具を例えば手動で回転させることによって、ソケット本体が回転し、第１のナットまたはボルト頭部を回転させることができ、第１ナットをボルトに取り付け、取り外しすることができたり、第１ボルト頭部を持つボルトをナットに取り付け、取り外しすることができる。同様に、第１の固定部に外部から回転工具の先端が挿入されて取り付けられたとき、第２の収容部に前記第２のナットまたはボルト頭部が収容され、回転工具を例えば手動で回転させることによって、ソケット本体が回転し、第２のナットまたはボルト頭部を回転させることができ、第２ナットをボルトに取り付け、取り外しすることができたり、第２ボルト頭部を持つボルトをナットに取り付け、取り外しすることができる。
【考案の効果】
【００１７】
このように、本考案による回転工具用ソケットによれば、第１ナットまたはボルト頭部を第１の収容部に嵌め、第２の固定部に回転工具に結合されるソケット用アダプタまたは回転工具の先端部を取り付け、回転工具を回転させることによって、第１ナットまたはボルト頭部を回転させることができ、第１ナットまたはボルト頭部と大きさの異なる第２ナットまたはボルト頭部を第２の収容部に嵌め、第１の固定部にソケット用アダプタまたは回転後部の先端部を取り付けて、上記と同様にすることによって、第２ナットまたはボルト頭部を回転させることができる。即ち大きさの異なる２種類のナットまたはボルト頭部に対して１つのソケットによって対応することができる。しかも、本考案による回転工具用ソケットは、本体部に第１及び第２の収容部、第１及び第２の固定部となる穴を形成し、第１及び第２の固定部間を繋ぐ連通孔を形成した構成であるので、本体部以外の部品が不要で、その結果、構造が簡単で、しかも製造が容易である。その上、第１及び第２の固定部を繋ぐように形成した連通孔を利用することによって、ボルトの途中に取り付けられた第１または第２のナットのいずれでもボルトから外すことができるし、逆に第１または第２のナットのいずれでもボルトの途中に取り付けることもできる。
【図面の簡単な説明】
【００１８】
【図１】本考案の第１の実施形態の回転工具用ソケットの左側面図、縦断正面図及び右側面図である。
【図２】図1の回転工具用ソケットの第１の使用状態を示す縦断正面図である。
【図３】図１の回転工具用ソケットの第１の使用状態で使用するナットとソケット用アダプタとの正面図である。
【図４】図１の回転工具用ソケットの第２の使用状態を示す縦断正面図である。
【図５】図１の回転工具用ソケットの第１の使用状態で使用するナットの正面図である。
【図６】本考案の第２の実施形態の回転工具用ソケットの左側面図、縦断正面図及び右側面図である。
【考案を実施するための形態】
【００１９】
本考案の第１の実施形態の回転工具用ソケットは、図１（ｂ）に示すように、本体部、例えばソケット本体部２を有している。ソケット本体部２は、柱状、例えば円柱状に形成されており、その一端部よりも他端部の直径が大きいものである。
【００２０】
このソケット本体部２の一端部、即ち直径の小さい方の端部から、ソケット本体部２の奥に向かって第１の収容部４が形成されている。第１の収容部４は、図３（ａ）に示す第１のナット６の外周面が、第１の収容部４の内周面にほぼ接触する六角形状の穴である。なお、第１のナット６は、多角形状、例えば六角形状のものである。第１の収容部４の中心はソケット本体部２の中心軸上にあり、奥に底８を有している。底８は、ソケット本体部２の中心軸に対して垂直である。第１の収容部４の各頂点位置には、第１のナット６のガイド溝１０が、第１の収容部４の表面から底８まで、ソケット本体部２の中心軸に平行に直線状に形成されている。
【００２１】
第１の収容部４の底８において開口し、更に奥で開口した皿状の凹部１２が本体部２内に形成されている。この皿部１２よりも更に奥に向かって第１の固定部１４がソケット本体部２に形成されている。第１の固定部１４は、例えば図３（ｂ）に示すソケット用アダプタ１６をソケット本体部２に取り付けるためのものである。ソケット用アダプタ１６は、ソケット本体部２を回転工具、例えば電動ドリルに取り付けるために使用される。
【００２２】
ソケット用アダプタ１６は、周囲に４つの矩形の面を有する概略四角柱状の基部１８を有している。ソケット用アダプタ１６の基部１８は、図３（ａ）、（ｂ）の比較から明らかなように、第１のナット６よりも小さいものである。基部１８の一端側に基部１８よりも大きいが第１のナット６よりも小さい中間部２０が側方に突出するように形成されている。この中間部２０の一端側から回転工具連結部、例えば軸部２２が側方に突出している。軸部２２は、基部１８及び中間部２０よりも小さい径のもので、回転工具、例えば電動ドリルのチャックに取り付け可能なもので、軸部２２は中間部２０を介して基部１８に機械的に結合されている。これら基部１８、中間部２０及び軸部２２は、その中心軸が互いに一致している。
【００２３】
第１の固定部１４には、このソケット用アダプタ１６の基部１８の周囲の４つの面が接触する４つの面が形成されている。第１の固定部１４は、凹部１２側で開口し、内奥に底１５を有している。なお、図４に示すように、ソケット用アダプタ１６の基部１８を第１の固定部１４に取り付けたとき、中間部２０が第１の収容部４内に位置して第１の固定部１４の底８に接触し、かつ軸部２２が第１の収容部４からソケット本体部２の外部に突出するように、第１の収容部４の深さは決定されている。第１の固定部１４の中心軸が第１の収容部４の中心軸及びソケット本体部２の中心軸と一致するように、第１の固定部１４はソケット本体部２内に形成されている。
【００２４】
ソケット用アダプタ１６の基部１８の周囲の４面には、図３（ｂ）に示すように係合部２４がそれぞれ形成されている。係合部２４は、第１の固定部１４にソケット用アダプタ１６を固定するためのものである。これら係合部２４は、球体に形成されて、その一部がソケット用アダプタ１６の基部１８の４つの周面からそれぞれ突出している。係合部２４に対してソケット用アダプタ１６の基部１８の中心側に力を加えると、中心側に係合部２４が後退し、力を除くと、ソケット用アダプタ１６の基部１８の周面から外部に係合部２４の一部が突出するように、係合部２４は構成されている。第１の固定部１４の４つの面には、各係合部２４を保持可能な溝２６が形成されている。第１の収容部４側からソケット用アダプタ１６の基部１８を第１の固定部１４に挿入を開始したとき、各係合部２４は第１の固定部１４の４つの面に接触してソケット用アダプタ１６の基部１８内に後退するが、基部１８が第１の固定部１４の底に到達し、かつ中間部２０が第１の収容部４の底８に接触したとき、各係合部２４に対応する位置に各溝２６が形成されているので、各係合部２４はソケット用アダプタ１６の基部１８から突出し、各溝２６内に保持され、ソケット用アダプタ１６は固定される。
【００２５】
図１（ｂ）、（ｃ）に示すように、ソケット本体部２の一端部よりも直径が大きい他端側から、ソケット本体部２の奥に向かって第２の収容部２８が形成されている。第２の収容部２８は、図５に示す第２のナット３０の外周面が、第２の収容部２８の内周面に接触する六角形状の穴である。第２のナット３０は、第１のナット６よりもその外径が大きい多角形状、例えば六角形状のものである。第２の収容部２８の中心もソケット本体部２の中心軸上にあり、奥に底３２を有している。底３２も、ソケット本体部２の中心軸に対して垂直である。第２の収容部２８の各頂点位置にも、第２のナット３０のガイド溝３４が、第２の収容部２８の表面から底３２までソケット本体部２の中心軸に平行に直線状に形成されている。
【００２６】
第２の収容部２８の底３２には、皿状の凹部３６を介して第２の固定部３８がソケット本体部２の更に奥に向かって形成されている。第２の固定部３８は、図２（ｂ）に示すように、上述したソケット用アダプタ１６を取り付けるためのものであるので、第１の固定部１４と同一形状に形成され、溝２６と同一の溝４０を有し、底１５と同一の底４１を有している。
【００２７】
第１の固定部１４の底１５と第２の固定部３８の底４１とを繋ぐように連通孔４２がソケット本体部２内に形成されている。連通孔４２は、第１の固定部１４と第２の固定部３８よりも小さい円孔で、第１の固定部１４の底１５と第２の固定部３８の底４１とで、それぞれ開口している。但し、図３（ａ）に示す第１のナット６が螺合しているボルトの螺軸４４及び図５に示す第２のナット３０が螺合しているボルトの螺軸４６が挿通可能な大きさに形成されている。
【００２８】
このように構成された回転工具用ソケットを利用して、例えば図３（ａ）に示すようにボルトの螺軸４４に螺合し、しかも第１のナット６よりも螺軸４４が突出している第１のナット６を、螺軸４４から外す場合、図３（ｂ）に示すソケット用アダプタ１６を図２に示すよう第２の固定部３８に取り付け、軸部２２を電動ドリルのチャックに取り付ける。或いは、軸部２２を電動ドリルのチャックに取り付けた後、ソケット用アダプタ１６の基部１８を回転工具用ソケットの第２の固定部３８に取り付ける。そして、この回転工具用ソケットを取り付けた電動ドリルを作業員が手で持って、第１のナット６よりも突出している螺軸４４を第１の収容部４、第１の固定部１４を介して連通孔４２内に挿入させ、第１のナット６をガイド溝１０を利用して第１の収容部４内に、図２に示すように収容する。そして電動ドリルを第１のナット６がボルトの螺軸４４から外れる方向に回転させることによって、回転工具用ソケットが回転して、第１のナット６がボルトの螺軸４４から外れる。
【００２９】
なお、ボルトの螺軸４４に第１のナット６を取り付ける場合には、上述したのと同様にソケット用アダプタ１６を電動ドリルに取り付けた後、第１の収容部４内にナット６を収容し、それのねじ孔をボルトの螺軸４４に一致させて、上述したのと反対方向に回転工具用ソケットを回転させればよい。
【００３０】
第１の収容部４内に収容できる頭部を持つボルトを図示していないナットに取り付け及び取り外しする場合も、ボルトの頭部を第１の収容部４内に収容させて、上述したのと同様に行えばよい。
【００３１】
また、例えば図５に示すように第１のナット６よりも大きい第２のナット３０であって、ボルトの螺軸４６に螺合し、しかも、螺軸４６が突出している第２のナット３０を螺軸４６から外す場合、図３（ｂ）に示すソケット用アダプタ１６を図４に示すよう第１の固定部１４に取り付け、ソケット用アダプタ１６の軸部２２を電動ドリルのチャックに取り付ける。或いは、軸部２２を電動ドリルのチャックに取り付けた後に、ソケット用アダプタ１６の基部１８を第１の固定部１４に取り付ける。そして、この回転工具用ソケットを取り付けた電動ドリルを作業員が手で持って、第２のナット３０よりも突出している螺軸４６を第２の収容部２８、第２の固定部３８を介して連通孔４２内に挿入させ、第２のナット３０をガイド溝３４を利用して第２の収容部２８内に、収容する。そして電動ドリルを第２のナット３０がボルトの螺軸４６から外れる方向に回転させることによって、回転工具用ソケットが回転して、第２のナット３０がボルトの螺軸４６から外れる。
【００３２】
なお、ボルトの螺軸４６に第２のナット３０を取り付ける場合には、上述したのと同様にソケット用アダプタ１６を第１の固定部１４に取り付けた後、第２の収容部２８内に第２のナット３０を収容し、それのねじ孔をボルトの螺軸４６に一致させて、上述したのと反対方向に回転工具用ソケットを回転させればよい。
【００３３】
第２の収容部２８内に収容できる頭部を持つボルトを図示していないナットに取り付け、取り外しする場合も、ボルトの頭部を第２の収容部２８内に収容させて、上述したのと同様に行えばよい。
【００３４】
この回転工具用ソケットでは、ソケット本体部２の一端にナット６用の第１の収容部４を形成し、ソケット本体部２の他端に第１のナット６よりも大きい第２のナット３０用の第２の収容部２８を形成しているので、大きさの異なる第１及び第２のナット６、３０に対して１台の回転工具用ソケットで対応することができる。しかも、第１の収容部４に第１のナット６を収容しているときには、回転工具用ソケットを回転させるためのソケット用アダプタ１６の軸部２２は、第２の収容部２８に続いてソケット本体部２の内部に形成した第２の固定部３８を利用して、ソケット本体部２の第２の収容部２８からソケット本体部２の外部に突出し、第２の収容部２８に第２のナット３０を収容しているときには、ソケット用アダプタ１６の軸部２２は、第１の収容部４に続いてソケット本体部２の内部に形成した第１の固定部１４を利用して、ソケット本体部２の第１の収容部４からソケット本体部２の外部に突出するので、ソケット本体部２に第１及び第２の収容部４、２８、第１及び第２の固定部１４、３８を穴として形成すればよく、ソケット本体部２以外の部品が不要で、回転工具用ソケットの構成を簡略化できる上に、回転工具用ソケットの製造が容易になる。しかも、これら第１及び第２の固定部１４、３８間に連通孔４２を形成してあるので、第１及び第２のナット６、３０からボルトの螺軸４４、４６が突出している状態でも、その突出部分を連通孔４２内に導入することによって、第１及び第２のナット６、３０を回転させることができる。
【００３５】
第２の実施形態の回転工具用ソケットは、図６（ａ）、（ｂ）、（ｃ）に示すように、第１収容部４ａが、第１の実施形態の回転工具用ソケットの第１収容部４と異なり、大きいもので、第１の実施形態の回転工具用ソケットの第１収容部４に収容されるナットまたはボルト頭部よりも大きいナットまたはボルト頭部が収容されるものである。第１の収容部４ａが大きいので、第１の収容部４ａが形成されているソケット本体部２の一端の方が、第２の収容部２８が形成されている他端よりも直径が大きく形成されている。第１の実施形態の第１の収容部及びそれに関連する構成要素に対応するものには、第１の収容部及びそれに関連する構成要素に付した符号の末尾に符号ａを付して、その説明を省略する。なお、第１及び第２の固定部１４、３８を繋ぐ連通孔４２ａは、第１及び第２の固定部１４、３８よりも大きく形成されている。
【００３６】
第２の実施形態の回転工具用ソケットも、第１の実施形態の回転工具用ソケットと同様に使用することができるので、詳細な説明は省略する。
【００３７】
第１及び第２の実施形態では、第１及び第２の固定部１４、３８には、ソケット用アダプタ１６の基部１８を取り付けて、軸部２２を電動ドリルのチャックに取り付けたが、この他に、例えば手動の工具であって、第１及び第２の固定部１４、３８に嵌め込むことが可能な先端部を有するものを準備し、その先端部を第１の固定部１４または第２の固定部３８に嵌め込み、その手動の工具を回転させることによってナットまたはボルト頭部を回転させることもできる。
【００３８】
第２の実施形態では、第１の収容部４ａのみを第１の実施形態の第１の収容部４と異なった大きさとして、第２の収容部２８は第１及び第２の実施形態いずれでも、同一の大きさとしたが、第２の実施形態の第２の収容部を、第１の実施形態の第２の収容部２８と異なる大きさ、例えば第１の実施形態の第２の収容部２８よりも大きい大きさまたは小さい大きさとすることもできる。
【００３９】
第１及び第２の実施形態では、本体部２は、円柱状としたが、これに限ったものではなく、例えば角柱状とすることもできる。第１及び第２の実施形態では、第１及び第２の収容部４、４ａ、２８は、六角形状の穴としたが、これらに収容するナットまたはボルト頭部が四角形状の場合には四角形状の穴に形成され、ナットまたはボルト頭部が十二角形状のものであるときには十二角形状の穴に形成される。第１及び第２の実施形態では、第１及び第２の固定部１４、３８は、角型の穴としたが、これに限ったものではなく、使用するソケット用アダプタの形状または使用する手動の工具の先端部の形状に対応した形状とすることができ、例えばソケット用アダプタまたは手動の工具の先端部が円柱状であれば、これに対応した円形の穴とすることができる。また第１及び第２の実施形態では、連通孔４２、４２ａを円孔としたが、これに限ったものではなく、ボルトが挿通可能であれば他の形状でもよく、例えば角孔とすることもできる。第１及び第２の実施形態では、ソケット用アダプタ１６は、基部１８に中間部２０を介して軸部２２が規定的に結合されたものを示したが、中間部２０を除去し、軸部２２が基部１８に直接に機械的に結合されたものとすることもできる。但し、軸部２２が第１及び第２の収容部４、２８から突出するように軸部２２の長さは延長される。
【符号の説明】
【００４０】
２  ソケット本体部
４  ４ａ  第１の収容部
１４  第１の固定部
１６  ソケット用アダプタ
１８  基部
２０  軸部（回転工具連結部）
２８  第２の収容部
３８  第２の固定部
４２  ４２ａ  連通孔
【図１】
0003202192.tif 000003
【図２】
0003202192.tif 000004
【図３】
0003202192.tif 000005
【図４】
0003202192.tif 000006
【図５】
0003202192.tif 000007
【図６】
0003202192.tif 000008